(57)【特許請求の範囲】
【請求項１】
機体フレーム（１）の下方に走行装置（２）を設け、機体フレーム（１）の上方に脱穀装置（３）を設け、機体フレーム（１）の前方に刈取装置（４）を設け、該刈取装置（４）は、穀稈を引起す引起装置（９）と、引起後の引起穀稈の株元を切断する刈刃（１０）を刈取フレーム（１５）に設けて構成し、該刈取フレーム（１５）に固定した前後方向の刈取支持フレーム（１７）の後端部に上部横伝動ケース（１８）を設け、該上部横伝動ケース（１８）における前記刈取支持フレーム（１７）に対して左右一側に偏倚した部位を、前記機体フレーム（１）に設けた縦軸状の刈取オープン支点軸（２６）に回動自在に取付け、前記刈取装置（４）が前記刈取オープン支点軸（２６）まわりに回動してオープンする時に前記刈取支持フレーム（１７）を前記機体フレーム側に支持する第一刈取オープン支持部材（３０Ａ）を設け、前記機体フレーム（１）の前部に機体側支持部材（２７Ａ）を設け、この機体側支持部材（２７Ａ）に、第二刈取オープン支持部材（３０Ｂ）の基部を縦軸（３５）で回動自在に取付け、前記第二刈取オープン支持部材（３０Ｂ）の先端部に長孔（３６）を設け、この長孔（３６）に刈取支持フレーム（１７）側に設けた係合支持軸（３７）を係合させ、前記刈取装置（４）が前記刈取オープン支点軸（２６）まわりに回動してオープンする時に、前記第一刈取オープン支持部材（３０Ａ）と前記第二刈取オープン支持部材（３０Ｂ）とによって刈取装置（４）を支持する構成としたコンバイン。
【請求項２】
エンジン（５６）を冷却する冷却用ファン（５７）の回転軸（５８）を、その軸心から略１２０度の間隔で配置した３つのファン支持フレーム（５９）により支持する構成とし、前記冷却用ファン（５７）を正逆方向に回転駆動する無段変速装置（７０）を設け、該無段変速装置７０で駆動される出力プーリー（６０）と、冷却用ファン（５７）側の入力プーリー（６１）を連動するベルト（６２）を、３つのファン支持フレーム（５９）のうちの２つのファン支持フレーム（５９）の間に配置した請求項１記載のコンバイン。
【発明の詳細な説明】
【技術分野】
【０００１】
本発明は、コンバインに係るものである。
【背景技術】
【０００２】
従来、走行装置の前方に設けた刈取装置を、分草装置の後側に分草装置が分草した穀稈を引起す引起装置と、引起装置の後側に引起穀稈の株元を切断する刈刃を、刈取フレームに設けて構成し、該刈取フレームの下部の左右中央に固定した前後方向の刈取支持フレームの基部に設けた上部横伝動ケースの基部側を、刈取支持フレームの左側に設けた縦軸の刈取オープン支点軸に回動自在に取付け、刈取装置を外側オープンさせる構成は、公知である（特許文献１）。
【先行技術文献】
【特許文献】
【０００３】
【特許文献１】特開２０１１−１５６９９号公報
【発明の概要】
【発明が解決しようとする課題】
【０００４】
前記公知例は、縦軸支点で、刈取装置を外側オープンさせる構成のため、刈取装置の重量が重く、圃場でのオープン作業は容易でなかったという課題がある。
本願は、刈取装置の支持構成を工夫し、オープン作業を簡単にしたものである。
【課題を解決するための手段】
【０００５】
請求項１記載の発明は、機体フレーム（１）の下方に走行装置（２）を設け、機体フレーム（１）の上方に脱穀装置（３）を設け、機体フレーム（１）の前方に刈取装置（４）を設け、該刈取装置（４）は、穀稈を引起す引起装置（９）と、引起後の引起穀稈の株元を切断する刈刃（１０）を刈取フレーム（１５）に設けて構成し、該刈取フレーム（１５）に固定した前後方向の刈取支持フレーム（１７）の後端部に上部横伝動ケース（１８）を設け、該上部横伝動ケース（１８）における前記刈取支持フレーム（１７）に対して左右一側に偏倚した部位を、前記機体フレーム（１）に設けた縦軸状の刈取オープン支点軸（２６）に回動自在に取付け、前記刈取装置（４）が前記刈取オープン支点軸（２６）まわりに回動してオープンする時に前記刈取支持フレーム（１７）を前記機体フレーム側に支持する第一刈取オープン支持部材（３０Ａ）を設け、前記機体フレーム（１）の前部に機体側支持部材（２７Ａ）を設け、この機体側支持部材（２７Ａ）に、第二刈取オープン支持部材（３０Ｂ）の基部を縦軸（３５）で回動自在に取付け、前記第二刈取オープン支持部材（３０Ｂ）の先端部に長孔（３６）を設け、この長孔（３６）に刈取支持フレーム（１７）側に設けた係合支持軸（３７）を係合させ、前記刈取装置（４）が前記刈取オープン支点軸（２６）まわりに回動してオープンする時に、前記第一刈取オープン支持部材（３０Ａ）と前記第二刈取オープン支持部材（３０Ｂ）とによって刈取装置（４）を支持する構成としたコンバインとしたものである。
請求項２記載の発明は、エンジン（５６）を冷却する冷却用ファン（５７）の回転軸（５８）を、その軸心から略１２０度の間隔で配置した３つのファン支持フレーム（５９）により支持する構成とし、前記冷却用ファン（５７）を正逆方向に回転駆動する無段変速装置（７０）を設け、該無段変速装置７０で駆動される出力プーリー（６０）と、冷却用ファン（５７）側の入力プーリー（６１）を連動するベルト（６２）を、３つのファン支持フレーム（５９）のうちの２つのファン支持フレーム（５９）の間に配置した請求項１記載のコンバインとしたものである。
【発明の効果】
【０００６】
請求項１記載の発明では、第一刈取オープン支持部材３０Ａと第二刈取オープン支持部材３０Ｂとにより刈取支持フレーム１７を機体フレーム１側に支持した状態で外側オープンさせるので、刈取装置４の外側へのオープン作業を容易に行うことができる。このとき、刈取装置４は、刈取オープン支点軸２６を中心にオープンし、第二刈取オープン支持部材３０Ｂは刈取オープン支点軸２６とは別の縦軸３５を中心に回動するが、このときのずれを長孔３６で吸収し、刈取装置４を円滑にオープンさせることができる。第一刈取オープン支持部材３０Ａと第二刈取オープン支持部材３０Ｂとによって刈取装置４を支持するので、オープン時に刈取装置４を安定して支持することができる。
請求項２記載の発明は、上記請求項１記載の発明の効果に加え、エンジン５６を冷却する冷却用ファン５７の回転軸５８を、その軸心から略１２０度の間隔で配置した３つのファン支持フレーム５９で支持することで、冷却用ファン５７を強固に支持できる。
【図面の簡単な説明】
【０００７】
【図１】コンバインの側面図。
【図２】刈取装置の移動機構および支持機構付近の側面図。
【図３】同平面図。
【図４】刈取装置の支持機構の他の実施例の平面図。
【図５】同側面図。
【図６】刈取装置の支持機構の他の実施例の平面図。
【図７】同側面図。
【図８】刈取装置の支持機構の他の実施例の平面図。
【図９】同側面図。
【図１０】刈取装置の支持機構の他の実施例の平面図。
【図１１】同側面図。
【図１２】刈取装置の支持機構の他の実施例の平面図。
【図１３】同側面図。
【図１４】走行装置の側面図。
【図１５】ローリングシリンダ付近の平面図。
【図１６】ラジエーターカバーとエンジン付近の正面図。
【図１７】ファン用無段変速装置の正面図。
【発明を実施するための形態】
【０００８】
本発明の実施例を図により説明すると、１は機体フレーム、２は機体フレーム１の下方位置に設けた走行装置、３は機体フレーム１の上方位置に設けた脱穀装置、４は脱穀装置３の前側に設けた刈取装置、５はグレンタンク、６はグレンタンク５内の穀粒を排出する排出オーガ、７は操縦部である。
刈取装置４は、最先端位置に分草装置８を左右に並設し、各分草装置８の後側に分草装置８が分草した穀稈を引起す引起装置９を設け、引起装置９の後側には刈刃１０を設け、刈刃１０の上方の後側には刈刃１０によって刈り取った穀稈を搬送する穀稈搬送装置１１を設ける。
刈取装置４は、分草装置８と引起装置９と刈刃１０と刈り取った穀稈を搬送する穀稈搬送装置の一部を刈取フレーム１５に設け、刈取フレーム１５の下部横伝動筒１６の左右中央部分に前後方向の刈取支持フレーム１７の先側に設ける。
【０００９】
刈取支持フレーム１７の基部には上部横伝動ケース１８を設け、上部横伝動ケース１８は前記機体フレーム１に設けた刈取懸架支持台１９に着脱自在であって回転自在に取付け、もって、刈取支持フレーム１７の基部を上下回動自在に取付ける。
刈取支持フレーム１７と機体フレーム１の間には、刈取装置４を昇降させる刈取上下シリンダ２０を取付ける。
前記刈取装置４は、移動機構２５により外側オープン自在に構成する（図２）。
前記上部横伝動ケース１８は、その先端を刈取支持フレーム１７の基部に固定状態に取付け、上部横伝動ケース１８の基部側は刈取支持フレーム１７に対して左側に延長させる。上部横伝動ケース１８の基部は前記機体フレーム１に設けた縦軸状の刈取オープン支点軸２６に回動自在に取付ける。刈取オープン支点軸２６は前記機体フレーム１に機体側支持部材２７により支持する。
刈取オープン支点軸２６の下部には刈取オープン支持部材３０の基部を回動自在に取付け、刈取オープン支持部材３０の先端の受部材３４は前記刈取支持フレーム１７側の下面に設けたローラー３１に当接支持させる。
【００１０】
したがって、刈取装置４は、刈取装置４の外側オープンの回動支点と同一支点上に設けた刈取オープン支持部材３０により支持される。
そのため、移動機構２５および刈取オープン支持部材３０を圃場に接触しない非接触構成とし、圃場における刈取装置４のオープン作業を容易にする。
３４は受部材である。
また、平面視において、刈取装置４の外側オープンの回動支点と刈取オープン支持部材３０とを同一支点上に設けているので、刈取オープン支持部材３０の先端と刈取装置４の刈取支持フレーム１７との位置関係は変わらず、刈取装置４のオープンを円滑に行える。
また、刈取オープン支持部材３０の基部は側面視上部横伝動ケース１８の下方に位置し、刈取装置４は、刈取装置４の外側オープンの回動支点と同一支点上に設けた刈取オープン支持部材３０により支持される。
【００１１】
そのため、刈取懸架支持台１９および機体側支持部材２７の強度が確保され、刈取オープン支持部材３０を設けることによる部品点数の増加も少なくできる。
３２は刈取装置４への駆動回転を入力する刈取入力プーリーである。
刈取装置４は、刈取支持フレーム１７を刈取オープン支持部材３０により支持された状態で外側オープンさせ、非オープン時には刈取支持フレーム１７の後部の上部横伝動ケース１８の刈取入力プーリー３２側は刈取懸架支持台１９により支持される。
また、前記刈取オープン支持部材３０は機体側へ収納可能に構成する。刈取オープン支持部材３０は非オープン時には、前記機体フレーム１の前側横杆３３の上方に位置させて収納する。
そのため、刈取装置４を最下降位置に下降させたとき、刈取支持フレーム１７と刈取オープン支持部材３０との干渉を防止する。
また、なお、前記移動機構２５の構成は任意であり、
上部横伝動ケース１８の基部が刈取オープン支点軸２６を支点に回動自在となればよく、刈取オープン支点軸２６と機体側支持部材２７との形状および支持構成は任意である。
【００１２】
図４、５は、刈取オープン支持部材３０の他の実施例であり、前記刈取オープン支持部材３０の先端が前記刈取フレーム１５の重心位置近傍を支持するように構成する。
そのため、刈取装置４の重量バランスを良好にしつつ外側オープンさせられ、オープン作業を円滑容易にする。
図６，７は、刈取オープン支持部材３０の他の実施例であり、前記機体側支持部材２７Ａを前記機体フレーム１の前側部分に設け、この機体側支持部材２７Ａに縦軸３５により刈取オープン支持部材３０の基部を取付ける。刈取オープン支持部材３０の先端には長孔３６を設け、長孔３６に刈取支持フレーム１７の係合支持軸３７を係合させる。
そのため、機体フレーム１の前側部分に設けた機体側支持部材２７Ａに縦軸３５により回動自在に基部を取付けた、刈取オープン支持部材３０の先端が刈取支持フレーム１７および刈取装置４の刈取フレーム１５を支持する。
【００１３】
この場合、刈取装置４は刈取オープン支点軸２６中心にオープン回動し、刈取オープン支持部材３０は刈取オープン支点軸２６とは別の縦軸３５中心に回動するが、長孔３６がズレを吸収し、円滑に刈取装置４をオープンさせられる。
図８，９は、刈取オープン支持部材３０の他の実施例であり、刈取装置４の外側オープンの回動支点となる刈取オープン支点軸２６と同一支点上に基部を設けた第一刈取オープン支持部材３０Ａと、機体フレーム１の前側部分に設けた機体側支持部材２７Ａに縦軸３５により基部を取付けた第二刈取オープン支持部材３０Ｂとにより、刈取装置４を支持しつつ外側オープンさせる構成とする。
そのため、二本の第一刈取オープン支持部材３０Ａと第二刈取オープン支持部材３０Ｂとにより刈取装置４を支持するので、オープン作業の際に刈取装置４を安定して支持する。
【００１４】
図１０，１１は、刈取装置４の外側オープン機構の他の実施例であり、機体フレーム１の左前後フレーム４０に刈取支持部材（刈取オープン支持部材３０）４１を内蔵（摺動自在に挿入）し、刈取装置４のオープン時には刈取支持部材４１を左前後フレーム４０から引き出して刈取装置４の刈取フレーム１５を支持し、非オープン時には刈取支持部材（刈取オープン支持部材３０）４１を機体側へ収納可能に構成する。
刈取装置４の刈取フレーム１５を確実に支持するので、オープン操作時およびオープン時の刈取装置４の保持を安定して行える。
図１２，１３は、刈取オープン支持部材３０の他の実施例であり、刈取オープン支持部材３０の先端の受部材３４は前記刈取支持フレーム１７側の下面に設けた凹部３１Ａに当接支持させる。
そのため、刈取装置４は、刈取支持フレーム１７側の凹部３１Ａに確実に支持された状態で刈取装置４の外側オープン作業を行え、刈取装置４が刈取オープン支持部材３０に対してずれるのを防止でき、オープン作業を容易にする。
【００１５】
走行装置２は、ローリング機構およびピッチング機構を介して設ける。
４５はローリングシリンダ、４６はピッチングシリンダ、４７はピッチングリンク、４８は後側ローリングアーム、４９は前側ローリングアーム、５０は連結ロッドであり、ピッチング機構はピッチングシリンダ４６の伸縮をピッチングリンク４７により後側ローリングアーム４８の取付軸４２を上下動させて、機体の水平制御を行う構成としている。
この場合、後側ローリングアーム４８および前側ローリングアーム４９の先端は転輪５１を設けた走行フレーム５２に取付けるが、後側ローリングアーム４８および前側ローリングアーム４９の何れか一方は補助アーム５３を介して走行フレーム５２に取付ける。
そのため、後側ローリングアーム４８の回動中心となる取付軸４２が機体フレーム１に対して上下するローリング機構およびピッチング機構でありながら、円滑に作動させられる。
【００１６】
前記左右の機体フレーム１の前後フレーム５４の間の中央にローリングシリンダフレーム５５を設け、ローリングシリンダフレーム５５の両サイドに前記ローリングシリンダ４５を配置する。
そのため、四角枠状のローリングシリンダフレーム５５を一つ設ける構成とするので、部品点数を少なくし、軽量化とコストダウンを図れる。
また、機体フレーム１の補助アーム５３とローリングシリンダ４５とローリングシリンダフレーム５５とを互いにオフセットさせずに配置でき、ローリングシリンダ４５の伸縮力のロス発生を抑制し、耐久性も向上させられる。
図１６は、エンジン５６の冷却用ファン５７を示し、冷却用ファン５７はその回転軸５８をファン支持フレーム５９により支持する。
６０は出力中間プーリー、６１は冷却用ファン５７のファン駆動プーリー、６２はベルトであり、機体走行方向を基準とする正面視において、前記ファン支持フレーム５９とベルト６２とが重ねる構成とする。
そのため、ファン支持フレーム５９とベルト６２とが重なるので、機体の左右幅を小さくし、ラジエーターカバー６４の出代を少なくできるので、畦際の作業等を容易にする。
【００１７】
また、冷却用ファン５７は、図示省略するが、該冷却用ファン５７を、その軸心方向から見た場合において、略１２０度をおいて、三カ所のファン支持フレーム５９で支持し、ベルト６２のラインをファン支持フレーム５９の間に設ける。
そのため、三点支持とすることで、冷却用ファン５７を強固に支持する。
例えば、ファン支持フレーム５９は、時計の略９時の方向と略１時の方向と略５時の方向の三カ所に設け、略９時の方向と略１時の方向のファン支持フレーム５９の間にベルト６２のラインを配置する。
また、６５はオイルクーラー６５、６６はインタークーラー６６、６７はコンデンサであり、これらの一部または全部を、機体走行方向を基準とする正面視において、エンジンカバー６８内に配置する。
そのため、エンジンカバー６８を開くと、エンジンカバー６８のシール面より外側にオイルクーラー６５とインタークーラー６６とコンデンサ６７の全部があるため、清掃を容易にする。
【００１８】
エンジン５６側の後面も見ることができるので、ゴミの詰まり具合を目視でき、オーバーヒート等の不具合に対応しやすい。
前記冷却用ファン５７はエンジン５６の駆動回転を無段階に変速するファン用無段変速装置（Ｈ．Ｓ．Ｔ）７０により正逆駆動回転させる。
前記ファン用無段変速装置７０の入力軸７１をファン用無段変速装置７０のケース７２のエンジンカバー６８側へ延出させ、ケース７２より延出させた入力軸７１によりギヤポンプ７３を駆動する構成とする。
ギヤポンプ７３は作業機用とミッション冷却用と排気ガス浄化用の排気浄化装置（図示省略）のＤＰＦ（Ｄｉｅｓｅｌ  ｐａｒｔｉｃｕｌａｔｅ  ｆｉｌｔｅｒ、ディーゼルパティキュレートフィルタ）の冷却用ファン（図示省略）の駆動等に利用する。
そのため、構成を簡素にし、油圧配管等を簡略化でき、コストダウンできる。
【００１９】
エンジン５６のエンジンルーム７５の上方に吸気室７６にエアクリーナ７７を配置し、エア吸気口７８をエンジンカバー６８側となるようにエアクリーナ７７を配置し、エア吸気口７８に反エンジンカバー６８側に向けたホース７９を設ける（図１６）。
そのため、前記冷却用ファン５７を逆転させたときに、エンジンカバー６８からの熱風を吸引させない。
また、吸気騒音を低減させられる。
【００２０】
（実施例の作用）
刈取装置４は、分草装置８と引起装置９と刈刃１０と刈り取った穀稈を搬送する穀稈搬送装置の一部を刈取フレーム１５に設け、刈取フレーム１５の下部横伝動筒１６の左右中央に前後方向の刈取支持フレーム１７の先側に設け、刈取支持フレーム１７の基部には上部横伝動ケース１８を設け、上部横伝動ケース１８は機体フレーム１に設けた刈取懸架支持台１９に着脱自在であって回転自在に取付けているので、刈取支持フレーム１７の基部の上部横伝動ケース１８を中心に刈取装置４を上下回動させて刈高さ調節する。
この刈取装置４と機体フレーム１の間には、移動機構２５により外側オープン自在に構成しているので、メンテナンス作業のときには、刈取装置４を外側オープンさせてメンテナンス作業を行う。
【００２１】
移動機構２５は、上部横伝動ケース１８の一端を刈取支持フレーム１７の基部に固定状態に取付け、上部横伝動ケース１８の基部側は刈取支持フレーム１７に対して左側に延長させ、機体フレーム１に設けた縦軸状の刈取オープン支点軸２６に回動自在に取付けて構成しているので、上下シリンダ２０を外し、上部横伝動ケース１８を刈取懸架支持台１９から外すと、刈取装置４は、刈取フレーム１５と刈取支持フレーム１７と上部横伝動ケース１８とを刈取オープン支点軸２６中心に外側オープンさせる。
刈取オープン支点軸２６は機体フレーム１に支持部材２７により取付け、支持部材２７より下方に突出する刈取オープン支点軸２６の下部には刈取オープン支持部材３０の基部を回動自在に取付けているので、刈取オープン支持部材３０は刈取装置４を外側オープンさせるとき、刈取装置４の下部を支持した状態で外側オープンさせられる。
【００２２】
実施例では刈取オープン支持部材３０の先端は刈取支持フレーム１７側の下面に設けたローラー３１に当接支持させているので、刈取装置４の回動中心と刈取オープン支持部材３０の回動中心が一致していなくても、ズレを吸収して刈取オープン支持部材３０はメカロックすることなく刈取支持フレーム１７を確実に支持する。
なお、本実施例では、刈取装置４の回動中心の刈取オープン支点軸２６に刈取オープン支持部材３０の基部を取り付けているので、刈取装置４の外側オープンの回動支点と同一支点上に設けた刈取オープン支持部材３０により支持されることになり、移動機構２５および刈取オープン支持部材３０を圃場に接触しない非接触構成とし、圃場における刈取装置４のオープン作業を容易にする。
【００２３】
また、平面視において、刈取装置４の外側オープンの回動支点と刈取オープン支持部材３０とを同一支点上に設けているので、刈取オープン支持部材３０の先端と刈取装置４の刈取支持フレーム１７との位置関係は変わらず、刈取装置４のオープンを円滑に行える。
また、刈取オープン支持部材３０の基部は側面視上部横伝動ケース１８の下方に位置し、刈取装置４は、刈取装置４の外側オープンの回動支点と同一支点上に設けた刈取オープン支持部材３０により支持されているので、刈取懸架支持台１９および機体側支持部材２７Ａの強度が確保され、刈取オープン支持部材３０を設けることによる部品点数の増加も少なくできる。
また、前記刈取オープン支持部材３０は機体側へ収納可能に構成しているので、通常の刈取作業中に刈取装置４を最下降位置に下降させても、刈取支持フレーム１７と刈取オープン支持部材３０とが干渉するのを防止する。
この場合、刈取オープン支持部材３０は非オープン時には、機体フレーム１の前側横杆３３の上方に位置させて収納するので、刈取オープン支点軸２６を支点とする回動させて、刈取オープン支持部材３０を収納でき、収納作業を容易にし、また、刈取オープン支持部材３０の収納構成も簡素に構成できる。
【００２４】
図４，５の刈取オープン支持部材３０の他の実施例では、刈取オープン支持部材３０の先端が刈取フレーム１５の重心位置近傍を支持するように構成しているので、刈取装置４の重量バランスを良好にしつつ外側オープンさせられ、オープン作業を円滑容易にする。
図６，７の刈取オープン支持部材３０の他の実施例では、機体側支持部材２７Ａを機体フレーム１の前側部分に設け、この機体側支持部材２７Ａに縦軸３５により刈取オープン支持部材３０の基部を取付け、刈取オープン支持部材３０の先端には長孔３６を設け、長孔３６に刈取支持フレーム１７の係合支持軸３７を係合させているので、刈取装置４のオープン時に、機体フレーム１の前側部分に設けた機体側支持部材２７Ａに縦軸３５により回動自在に基部を取付けた、刈取オープン支持部材３０の先端が刈取支持フレーム１７および刈取装置４の刈取フレーム１５を支持する。
【００２５】
この場合、刈取装置４は刈取オープン支点軸２６中心にオープン回動し、刈取オープン支持部材３０は刈取オープン支点軸２６とは別の縦軸３５中心に回動するが、長孔３６と係合支持軸３７との作用によりズレを吸収し、円滑に刈取装置４をオープンさせられる。
図８，９の刈取オープン支持部材３０の他の実施例では、刈取装置４の外側オープンの回動支点となる刈取オープン支点軸２６と同一支点上に基部を設けた第一刈取オープン支持部材３０Ａと、機体フレーム１の前側部分に設けた機体側支持部材２７Ａに縦軸３５により基部を取付けた第二刈取オープン支持部材３０Ｂとにより、刈取装置４を支持しつつ外側オープンさせる構成としているので、二本の第一刈取オープン支持部材３０Ａと第二刈取オープン支持部材３０Ｂとにより刈取装置４を支持するので、オープン作業の際に刈取装置４を安定して支持する。
【００２６】
図１０，１１の刈取装置４の外側オープン機構の他の実施例では、機体フレーム１の左前後フレーム４０に刈取支持部材（刈取オープン支持部材３０）４１を内蔵（摺動自在に挿入）しているので、刈取装置４のオープン時には刈取支持部材４１を左前後フレーム４０から引き出して刈取装置４の刈取フレーム１５を支持する。
そのため、刈取装置４の刈取フレーム１５を確実に支持するので、オープン操作時およびオープン時の刈取装置４の保持を安定して行える。
また、刈取支持部材（刈取オープン支持部材３０）４１は機体側へ収納可能に構成し、左前後フレーム４０内に収納できるので、通常の刈取作業中に刈取装置４を最下降位置に下降させても、刈取支持フレーム１７と刈取オープン支持部材３０とが干渉するのを防止する。
図１２，１３の刈取オープン機構の他の実施例では、刈取オープン支持部材３０の先端の受部材３４は前記刈取支持フレーム１７側の下面に設けた凹部３１Ａに当接支持させているので、刈取装置４は、刈取支持フレーム１７側の凹部３１Ａに確実に支持された状態で刈取装置４の外側オープン作業を行え、刈取装置４が刈取オープン支持部材３０に対してずれるのを防止でき、オープン作業を容易にする。
なお、前記した各実施例は、理解を容易にするために、個別または混在させて図示および説明しているが、これらの実施例は夫々種々組合せ可能であり、これらの表現によって、構成・作用等が限定されるものではなく、また、相乗効果を奏する場合も勿論存在する。
【符号の説明】
【００２７】
１…機体フレーム、２…走行装置、３…脱穀装置、４…刈取装置４、５…グレンタンク、６…操縦部、８…分草装置、９…引起装置、１０…刈刃、１１…穀稈搬送装置、１５…刈取フレーム、１６…下部横伝動筒、１７…刈取支持フレーム、１８…上部横伝動ケース、１９…刈取懸架支持台、２０…刈取上下シリンダ、２５…移動機構、２６…刈取オープン支点軸、２７…支持部材、３０…刈取オープン支持部材、３１…ローラー、３２…刈取入力プーリー、３５…縦軸、３６…長孔、３７…係合支持軸、４０…左前後フレーム、４１…刈取支持部材、４２…取付軸、４５…ローリングシリンダ、４６…ピッチングシリンダ、４７…ピッチングリンク、４８…後側ローリングアーム、４９…前側ローリングアーム、５０…連結ロッド、５１…転輪、５２…走行フレーム、５３…補助アーム、５５…ローリングシリンダフレーム、５６…エンジン、５７…冷却用ファン、５８…回転軸、５９…ファン支持フレーム、６２…ベルト、６８…エンジンカバー、６５…オイルクーラー、６６…インタークーラー、６７…コンデンサ、７０…ファン用無段変速装置、７１…入力軸、７２…ケース、７３…ギヤポンプ、７５…エンジンルーム、７６…吸気室、７７…エアクリーナ、７８…エア吸気口、７９…ホース。
【図１】
0006020799.tif 000002
【図２】
0006020799.tif 000003
【図３】
0006020799.tif 000004
【図４】
0006020799.tif 000005
【図５】
0006020799.tif 000006
【図６】
0006020799.tif 000007
【図７】
0006020799.tif 000008
【図８】
0006020799.tif 000009
【図９】
0006020799.tif 000010
【図１０】
0006020799.tif 000011
【図１１】
0006020799.tif 000012
【図１２】
0006020799.tif 000013
【図１３】
0006020799.tif 000014
【図１４】
0006020799.tif 000015
【図１５】
0006020799.tif 000016
【図１６】
0006020799.tif 000017
【図１７】
0006020799.tif 000018